(57)【特許請求の範囲】
【請求項１】
外壁パネル(2)の内面(2a)側に埋設して設けられ、前記外壁パネル(2)の近傍に位置する軸組(6)と前記外壁パネル(2)とを接続するために用いられるレール本体(3A)からなる外壁パネル用埋め込みレールにおいて、
前記レール本体(3A)には、互いに内方に向けて曲折する第１リップ(3a)及び第２リップ(３b)が設けられ、前記第１リップ(3a)には、前記レール本体(3A)を形成する鋼板(70)と一体に突出する突出片(61)が設けられ、前記レール本体(3A)は前記突出片(61)を介して前記軸組(6)に接続できるように構成した外壁パネル用埋め込みレールにおいて、
前記第１リップ(3a)は、前記レール本体(3A)の外部側(60)に一体に折り返されて形成された第１折り返し部(100)を有し、前記第１折り返し部(100)の外部側(60)に前記突出片(61)が形成されている構成か、又は、
前記突出片(61)は、前記レール本体(3A)の溝状部(62)の底板(63)の板面(64)と平行でかつ外部側(60)に延設され、前記第1リップ(3a)は、前記突出片(61)の根元部(85)に切り込み部(80)を介して前記第２リップ(3b)側へ向けて突出する複数の舌片(81)よりなる構成としたことを特徴とする外壁パネル用埋め込みレール。
【請求項２】
前記第２リップ(3b)は、前記レール本体(3A)の内部側(65)又は外部側(60)に一体に折り返されて形成された第２折り返し部(101)を有する構成としたことを特徴とする請求項１記載の外壁パネル用埋め込みレール。
【発明の詳細な説明】
【技術分野】
【０００１】
本発明は、外壁パネル用埋め込みレールに関し、特に、そのレール本体に一体に設けた突出片を介して軸組に固定できるようにするための新規な改良に関する。
【背景技術】
【０００２】
従来、用いられていたこの種の外壁パネル用埋め込みレールとしては、特許文献１及び２の構成、並びに、本出願人が用いている構成を挙げることができる。
まず、特許文献１に開示されている構成は、図６及び７で示される通りである。
図６において、符号２で示されるものは、目地１５を介して配設された複数の外壁パネルであり、前記各外壁パネル２の内側１には、一対の軸組６、６ａが組として固定配設されている。
【０００３】
前記各外壁パネル２の内面２ａに形成された各取付溝７内には、Ｃ型鋼からなる埋め込みレール３が設けられ、前記埋め込みレール３には、一対のリップ３ａ、３ｂを介してパネル側取付片１２がボルト８を介して固定されている。
前記各軸組６、６ａの一方の軸組６ａには、固定用ボルト１３を有する外壁パネル取付具４が設けられ、固定用ボルト１３によって軸組６ａに固定された軸柱プレート１４により前記軸組６ａに取り付けられた軸柱側取付片１７には、前記パネル側取付片１２の延設部１１がネジ部材１６でネジ締めされる固定片１８により接続・固定されている。
【０００４】
次に、図７は、他の従来構成を示すもので、前述の図６の従来構成とは一部を除いてほぼ同一であるため、図６と同一部分には同一符号を付し、図６と異なる部分についてのみ説明する。
すなわち、図７においては、軸柱側取付片１７の先端に形成された二又状の挟持部１９を有する外壁パネル取付補助具５が設けられ、前記挟持部１９が一方の埋め込みレール３のリップ３ａを挟持する状態で接続されていることにより、外壁パネル２が軸組６ａに接続・固定されている。
【０００５】
次に、図８は特許文献２に開示された構成を示すもので、前述の図６及び図７の構成と同一又は同等部分には同一符号を付してその説明を省略し、異なる構成についてのみ説明する。
前述の埋め込みレール３の各リップ３ａ、３ｂには、ボルト３０及びナット３０ａを有するパネル側収納プレート１２が設けられ、前記ナット３０ａと前記各リップ３ａ、３ｂとの間には長手形状のパネル側取付片３２が外壁パネル２の内面２ａに設けられている。
【０００６】
前記パネル側取付片３２の延設部３３は各外壁パネル２間の目地１５の内側開口１５Ｂを覆うように配設され、前記延設部３３に向けて前記目地１５の外側開口１５Ａから挿入されたボルト１６は、軸組６にボルト３４とナット３５を介して固定された軸組側プレート３１の軸柱側取付片１７に螺入されていることにより、前記埋め込みレール３は軸組６に接続・固定されている。
従って、前記外壁パネル２は前記軸組６,６ａに接続・固定されている。
【０００７】
次に、図９の従来構成は、外壁パネルを軸組の内側から固定する取付構造の構成であり、前述の図６〜図８と同一部分又は同等部分には、同一符号を付して説明を省略し、異なる部分についてのみ説明する。
前記埋め込みレール３に接続された接続片３７に設けられた軸組側プレート３１は、前記外壁パネル取付具４を介して前記軸組６に接続・固定されている。
尚、前記埋め込みレール３は、前記外壁パネル２内の鉄筋３８に接続されている。
【先行技術文献】
【特許文献】
【０００８】
【特許文献１】特開２０１０−２０９６３９号公報
【特許文献２】特開２００５−２０７０３０号公報
【発明の概要】
【発明が解決しようとする課題】
【０００９】
従来の外壁パネル用埋め込みレールは、以上のように構成されているため、次のような課題が存在していた。
まず、図６の特許文献１の構成の場合、一対のリップ３ａ、３ｂを有する埋め込みレール３を用い、この各リップ３ａ、３ｂを介して設けられたパネル側取付片１２の延設部１１に、軸組６ａの軸柱側取付片１７がネジ部材１６によって接続されているため、部品点数が多く、かつ、複雑であった。また、各リップ３ａには過大な負荷がかかっていた。
【００１０】
また、図７の構成においては、外壁パネル２と軸組６ａとを接続するために、軸柱側取付片１７及びその二又状の挟持部１９を用いているため、外壁パネル２を保持する強度を得ること、及び、外側から外壁パネル２の取付けと調整したいとする要望には沿うことが困難であった。
【００１１】
また、図８の構成においては、埋め込みレール３と軸組６，６ａとを接続するパネル側取付片３２の前記軸組６，６ａへの固定は、固定用のボルト１６を用いており、このボルト１６は、外壁パネル２の外側１Ａから目地１５を介して工具により操作できるため、外壁パネル２の外側１Ａから工具によって外壁パネル２の調整及び取付けを行うことはできるが、埋め込みレール３の各リップ３ａ、３ｂを用いてパネル側取付片３２を保持しているため、図５に示すように、点線で示す一部に変形が起ることがあり、高い強度を得るには課題があった。
【００１２】
また、図９の外壁パネルを軸組の内側から固定する取付構造の場合には、外壁パネル２の内側１に設けられた外壁パネル取付具４の軸組側プレート３１のナット３５の取付位置が目地１５から離間した位置であるため、外壁パネル２の外側１Ａから外壁パネル２の着脱及び調整を行う要望に沿うことはできなかった。
【００１３】
本発明は、以上のような課題を解決するためになされたもので、特に、埋め込みレールに一体に設けた突出片を軸組の外壁パネル取付具を介して軸組に固定し、外壁パネルの外側から目地を介して工具を挿入して固定部材を操作できるようにした外壁パネル用埋め込みレールを提供することを目的とする。
【課題を解決するための手段】
【００１４】
本発明による外壁パネル用埋め込みレールは、外壁パネルの内面側に埋設して設けられ、前記外壁パネルの近傍に位置する軸組と前記外壁パネルとを接続するために用いられるレール本体からなる外壁パネル用埋め込みレールにおいて、前記レール本体には、互いに内方に向けて曲折する第１リップ及び第２リップが設けられ、前記第１リップには、前記レール本体を形成する鋼板と一体に突出する突出片が設けられ、前記レール本体は前記突出片を介して前記軸組に接続できるように構成した外壁パネル用埋め込みレールにおいて、前記第１リップは、前記レール本体の外部側に一体に折り返されて形成された第１折り返し部を有し、前記第１折り返し部の外部側に前記突出片が形成されている構成か、または、前記突出片は、前記レール本体の溝状部の底板の板面と平行でかつ外部側に延設され、前記第１リップは、前記突出片の根元部に切り込み部を介して前記第２リップ側へ向けて突出する複数の舌片よりなる構成であり、また、前記第２リップは、前記レール本体の内部側又は外部側に一体に折り返されて形成された第２折り返し部を有する構成である。
【発明の効果】
【００１５】
本発明による外壁パネル用埋め込みレールは、以上のように構成されているため、次のような効果を得ることができる。
すなわち、外壁パネルの内面側に埋設して設けられ、前記外壁パネルの近傍に位置する軸組と前記外壁パネルとを接続するために用いられるレール本体からなる外壁パネル用埋め込みレールにおいて、前記レール本体には、互いに内方に向けて曲折する第１リップ及び第２リップが設けられ、前記第１リップには、前記レール本体を形成する鋼板と一体に突出する突出片が設けられ、前記レール本体は前記突出片を介して前記軸組に接続できるように構成したことにより、前記レール本体には、後付けによって板状部材を接続する必要がなく、極めて簡単かつ強固な外壁パネルを軸組に接続・固定することができる。
【００１６】
また、前記第１リップは、前記レール本体の外部側に一体に折り返されて形成された第１折り返し部を有し、前記第１折り返し部の外部側に前記突出片が形成されている構成としたことにより、第１突出片と第１リップの形成が簡単になり、第１リップが二層状となり、第１リップの強度を向上させることができる。
【００１７】
また、前記第２リップは、前記レール本体の内部側又は外部側に一体に折り返されて形成された第２折り返し部を有する構成としたことにより、第２リップの強度を大幅に向上させることができる。
【００１８】
また、前記突出片は、前記レール本体の溝状部の底板の板面と平行でかつ外部側に延設され、前記第１リップは、前記突出片の根元部に切り込み部を介して前記第２リップ側へ向けて突出する複数の舌片よりなるようにしたことにより、一層状の突出片と第１リップとを一体形成することができる。
以上のように前述の第１リップ、第２リップ３ａ、３ｂ及び突出片６１を備えた埋め込みレールは、一枚の鋼板を曲げ加工して生産するものであり、大量生産による加工コストの低減にも寄与するものである。また、各部材が一体に形成されていることから、板厚の低減による材料コストの低減も可能である。
また、前記第１リップは、前記突出片の一部を前記第２リップ側へ切り起した複数の舌片からなることにより、大形の突出片であるにも拘わらず、必要とする第１リップを得ることができる。
【図面の簡単な説明】
【００１９】
【図１】本発明による外壁パネル用埋め込みレールを示す正面図である。
【図２】図１の斜視図である。
【図３】図２の他の形態を示す斜視図である。
【図４】図２の外壁パネル用埋め込みレールを用いた外壁パネルの軸組への取付構造を示す断面図である。
【図５】本発明及び従来の外壁パネル用埋め込みレールを示す斜視図である。
【図６】特許文献１に開示された従来の外壁パネルの取付構造を示す平面断面図である。
【図７】特許文献１の他の従来構成を示す平面断面図である。
【図８】特許文献２に開示された従来の外壁パネルの取付構造を示す平面断面図である。
【図９】従来の外壁パネルを軸組の内側から固定する取付構造の外壁パネルの取付構造を示す平面断面図である。
【発明を実施するための形態】
【００２０】
本発明による外壁パネル用埋め込みレールは、レール本体に一体に設けた突出片を介して軸組に固定できるようにすることである。
【実施例】
【００２１】
以下、図面と共に本発明による外壁パネル用埋め込みレールの好適な実施の形態について説明する。
尚、従来例と同一又は同等部分には、同一符号を付して説明する。
図１及び図２は本発明による外壁パネル用埋め込みレール３を示す正面図及び斜視図である。
前記外壁パネル用埋め込みレール３は、レール本体３Ａと、前記レール本体３Ａの溝状部６２の両側に形成された第１リップ３ａ及び第２リップ３ｂと、前記第１リップに一体で外部側に延設された板状をなす突出片６１と、から主として構成されている。
【００２２】
前記溝状部６２の底板６３には、下方へ向けて突出する複数の突部６３ａが形成され、前記第１リップ３ａは、前記レール本体３Ａを形成する鋼板７０と一体に外部側６０に折り返されて形成された第１折り返し部１００を有し、前記第１折り返し部１００の外部側６０に前記突出片６１が形成されるように構成されている。
【００２３】
前記第２リップ３ｂは、前記レール本体３Ａの内部側６５に一体に折り返されて形成された第２折り返し部１０１を有している。
また、図３の構成は、図１及び図２に示される外壁パネル用埋め込みレール３の他の形態を示す斜視図である。尚、図１及び図２と同じ構成については、同一符号を付し、その説明は省略する。
すなわち、図３で示されるように、前記第２リップ３ｂは前述のように、前記鋼板７０が内部側６５に折り曲げられ、一枚の鋼板７０のみで形成されている。
【００２４】
前記第１リップ３ａは、前記レール本体３Ａの外部側６０に一体に折り曲げられて形成され、その外部側６０に前記突出片６１が平板状に形成されている。
前記第１リップ３ａは、前記突出片６１の根元部８５に切り込み部８０を介して前記第２リップ３ｂ側へ向けて突出する複数の舌片８１によって形成されている。
前記各舌片８１は、前記レール本体３Ａの長手方向Ａに沿って複数個（図４の場合は二個）形成されているが、この個数に限ることなく、任意の数とすることができる。
【００２５】
次に、前述のように構成された本発明による外壁パネル用埋め込みレール３の適用先として、図４の外壁パネルの取付構造の外壁パネル２の内面２ａに埋設して取付けた場合について説明する。
図４は本発明による外壁パネル用埋め込みレールを用いた外壁パネルの取付構造を示す平面断面図であり、図４において符号２で示されるものは、目地１５を介して配設された複数の外壁パネルであり、前記各外壁パネル２の内側１には、一対の軸組６,６ａが固定配設されている。
【００２６】
前記各外壁パネル２には、鉄筋３８が内設されており、この外壁パネル２の取付溝７には長手形状の埋め込みレール３が設けられている。
前記外壁パネル２の製造方法としては、例えば、壁用コンクリートを図示しない金型内に流し込んで成形し、固化後は、外壁パネル２内に設けられていた前記埋め込みレール３の第１、第２リップ３,３ａを図示しないクレーンのフックで係合させて金型から前記外壁パネル２を引き出すことにより、成形済みの外壁パネル２を製造している。
前記埋め込みレール３については、前記外壁パネル２の成形時に、前記金型内にセットしてインサート成形する場合、前記埋め込みレール３は、図４のように、前記鉄筋３８に予め溶接させておく。
その後外壁パネル２の運搬や建設地での取付け時にも、前記埋め込みレール３の第１、第２リップ３ａ、３ｂはクレーンのフックでの係合に利用する。
【００２７】
前記埋め込みレール３は、本発明において特に開発され最も特徴のある構造で形成されているものである。
すなわち、図１の前記埋め込みレール３は、全体がＣ型鋼よりなり一対の第１、第２リップ３,３ａを有すると共に、前記第１リップ３には、第１リップ３と一体でかつ前記第１リップ３が延設されている方向とは反対方向の外部側６０に沿って延設された突出片６１がレール本体３Ａを構成する鋼板７０と一体に設けられている。
尚、前記レール本体３Ａは、前記埋め込みレール３の前記突出片６１を有しない構成を
示している。
【００２８】
前記埋め込みレール３は、前述の図１、図２の第１形態／及び図３で示す第２形態成とすることができる。
すなわち、図１及び図２で示す第１構成においては、板厚約１．５ｍｍの鋼板７０を曲げ加工することにより、溝状部６２を有する前記埋め込みレール３が形成され、前記第１リップ３ａは、最初に内方へ曲げた後に続けて外部側６０に向け、かつ、底板６３の板面６４に沿って延設することにより、二層状の第１リップ３ａ及び一層状の突出片６１が形成されている。
【００２９】
前記第２リップ３ｂは、前記鋼板７０を周知のリップの方向に曲げた後に、さらに内部側６５に曲折することにより、前記鋼板７０が二層状となって構成されている。また、前記底板６３に形成された複数の突部６３ａは、前述のように、前記鉄筋３８に予め溶接することができる。
図２の構成は、図１の前記埋め込みレール３の全体構成を示すための斜視図である。
【００３０】
図３は、前記埋め込みレール３の他の形態を示す斜視図であり、前記第２リップ３ｂは従来と同様に一層の前記鋼板７０で形成され、前記第１リップ３ａは、前記第１リップ３ａ側の鋼板７０を前記第２リップ３ｂとは反対側に曲折させて幅広状の前記突出片６１を形成した後に、複数個所に切り込み部８０を形成して切り起こしによる複数の舌片８１が形成されている。
従って、前述の第１、第２リップ３ａ，３ｂ及び突出片６１は、一層、すなわち、一枚の鋼板７０を用いて形成されている。
前記各舌片８１は前記第１リップ３ａを形成していると共に、前記第２リップ３ｂと同様に、内部側６５に向けて水平方向に延設されている。
【００３１】
次に、図４に示されるように、前記各外壁パネル２間には、スリット状の目地１５が形成されており、前記目地１５は前記外壁パネル２の内側１から外側１Ａに向けて、ラッパ状に拡開するように構成されている。
前記目地１５の前記内側１位置には、一対の軸組６,６ａが固定配設されており、一方の前記軸組６の開口６Ａには、外壁パネル取付具４が設けられている。
【００３２】
前記外壁パネル取付具４は、前記軸組６内に固定されたプレート２５と、前記開口６Ａ側に設けられた軸組側プレート３１及びプレート４１からなる積層体４Ａと、前記プレート２５、軸組側プレート３１及びプレート４１を貫通したネジ体８５と、前記プレート２５と前記積層体４Ａの間に介挿されたバネ８６と、ナット３５とから構成されており、前記軸組側プレート３１の延設部３１ＡはＬ字型に曲折して、前記各軸組６ａ，６の下部でかつ前記突出片６１上に配設されている。
【００３３】
前記延設部３１Ａの先端側には、ネジ軸９０とナット９１が設けられていると共に、前記ネジ軸９０は前記延設部３１Ａを貫通している。
前記ネジ軸９０には挟持部材９２が設けられ、前記ナット９１を締めることにより、前記挟持部材９２の曲折部９２ａが前記突出片６１に当接してこれを押圧するため、前記突出片６１は前記延設部３１Ａを前記軸組６に強く圧することになり、前記埋め込みレール３を介して前記外壁パネル２を前記軸組６に取り付けることができるように構成されている。
【００３４】
前記ネジ軸９０、前記挟持部材９２及びナット９１により、前記突出片６１を前記軸組６に固定するための固定部材９３が構成されている。
前記固定部材９３は、前記目地１５の周囲で各外壁パネル２の内面２ａに形成されたテーパ状の切欠部２Ｂ及び目地１５の内側開口１５Ｂに対応して配設されているため、前記各外壁パネル２の外側１Ａ、すなわち、前記目地１５の外側開口１５Ａから工具９４を前記目地１５内に挿入すると、工具９４の先端が前記固定部材９３のナット９１に直接係合するため、前記ナット９１を締めることも緩めることも前記外側１Ａすなわち屋外側１Ｂから自在に行うことができる。
従って、前記外壁パネル２の前記軸組６に対する着脱のための作業を、全て前記外側１Ａすなわち屋外側１Ｂから行うことができる。
【００３５】
前記埋め込みレール３は、従来の一対のリップ３ａ，３ｂのみの構成と違って突出片６１を一体に有しているため、図５で示されるように、成形後の外壁パネル６,６ａを各リップ３ａ，３ｂを介してクレーン等で金型から型抜きを行うような場合においても、従来（点線で丸で示す部分）のように、各リップ３ａ，３ｂが変形（図５で示す）することもない。
尚、前述の第２リップ３ｂは、第２リップ３ｂの先端を内部側６５に折り返した場合について述べたが、前記内部側６５とは逆方向の外部側６０に折り返して二重状とした場合も、同様の作用効果を得ることができる。
【００３６】
次に、本発明による外壁パネル用埋め込みレールの要旨とするところは、以下の通りである。
すなわち、外壁パネル２の内面側２ａに埋設して設けられ、前記外壁パネル２の近傍に位置する軸組６と前記外壁パネル２とを接続するために用いられるレール本体３Ａからなる外壁パネル用埋め込みレールにおいて、前記レール本体３Ａには、互いに内方に向けて曲折する第１リップ３ａ及び第２リップ３ｂが設けられ、前記第１リップ３ａには、前記レール本体３Ａを形成する鋼板７０と一体に突出する突出片６１が設けられ、前記レール本体３Ａは前記突出片６１を介して前記軸組６に接続できるように構成した外壁パネル用埋め込みレールにおいて、前記第１リップ３ａは、前記レール本体３Ａの外部側６０に一体に折り返されて形成された第１折り返し部１００を有し、前記第１折り返し部１００の外部側６０に前記突出片６１が形成されている構成か、または、前記突出片６１は、前記レール本体３Ａの溝状部６２の底板６３の板面６４と平行でかつ外部側６０に延設され、前記第１リップ３ａは、前記突出片６１の根元部８５に切り込み部８０を介して前記第２リップ３ｂ側へ向けて突出する複数の舌片８１よりなる構成であり、また、前記第２リップ３ｂは、前記レール本体３Ａの内部側６５に一体に折り返されて形成された第２折り返し部１０１を有する構成である。
【産業上の利用可能性】
【００３７】
本発明による外壁パネル用埋め込みレールは、レール本体に一体に設けた突出片を軸組に設けた固定部材に接続するため、レール本体と軸組間の接続を容易かつ確実とすることができ、さらに、各外壁間の目地の外側からの外壁パネルの位置調整及び着脱を容易化できる。
【符号の説明】
【００３８】
１    内側
１Ａ    外側
１Ｂ    屋外側
２    外壁パネル
２ａ    内面
２Ｂ    切欠部
３    埋め込みレール
３ａ    第１リップ
３ｂ    第２リップ
３Ａ    レール本体
４    外壁パネル取付具
４Ａ    積層体
６,６ａ    軸組
６Ａ    開口
７    取付溝
１５    目地
１５Ａ    外側開口
１５Ｂ    内側開口
３１    軸組側プレート
３１Ａ    延設部
３５    ナット
３８    鉄筋
６０    外部側
６１    突出片
６２    溝状部
６３    底板
６３ａ    突部
６４    板面
６５    内部側
７０    鋼板
８０    切り込み部
８１    舌片
８５    根元部
８６    バネ
９１    ナット
９２    挟持部材
９３    固定部材
９４    工具
１００    第１折り返し部
１０１    第２折り返し部
【図１】
0006647968.tif 000002
【図２】
0006647968.tif 000003
【図３】
0006647968.tif 000004
【図４】
0006647968.tif 000005
【図５】
0006647968.tif 000006
【図６】
0006647968.tif 000007
【図７】
0006647968.tif 000008
【図８】
0006647968.tif 000009
【図９】
0006647968.tif 000010